(57)【要約】【課題】  カメラダイレクトプリントシステムにおいて、カメラからプリント指示をする場合、プリンタのデフォルト設定を使用すると、実際にプリントされるまでは、どのようにプリントされるかが不明であった。【解決手段】  印刷処理が始まり給紙が行なわれ、用紙サイズが確定した後に、もう一度デジタルカメラ５１２からケーパビリティ取得要求を行う（６０６）。この時点では、給紙が行われ紙サイズが検知されて用紙サイズが確定しているので、デフォルト設定の紙サイズを通知することが可能である。確定したデフォルト設定の用紙サイズ情報を含むケーパビリティをプリンタ５１１からデジタルカメラ５１２に通知する（６０７）。【選択図】  図６
2007030315.tif 000002
【特許請求の範囲】
【請求項１】
画像再生装置から画像データを取得可能なプリンタであって、
前記画像再生装置と通信する通信手段と、
前記プリンタの対応可能な印刷設定が記述される能力情報を前記画像再生装置に送信する能力情報送信手段と、
前記画像再生装置から取得した画像データをプリント処理するためのプリント手段とを有し、
前記能力情報送信手段は、前記プリント手段によるプリント処理が開始された後に、前記能力情報にデフォルトの印刷設定を含ませて、前記画像再生装置に送信することを特徴とするプリンタ。
【請求項２】
画像データの印刷要求を前記画像再生装置から受信する受信手段を有し、
前記能力情報送信手段は、前記印刷要求による画像データの印刷設定においてデフォルトが指定されている場合に、前記能力情報にデフォルトの印刷設定を含ませて前記画像再生装置に送信することを特徴とする請求項１に記載のプリンタ。
【請求項３】
前記能力情報送信手段は、画像データをプリントする印刷用紙の給紙処理が開始された後に、前記能力情報にデフォルトの印刷用紙設定を含ませて前記画像再生装置に通知することを特徴とする請求項１または２に記載のプリンタ。
【請求項４】
前記プリンタは、熱転写方式であることを特徴とする請求項１ないし３のいずれか１項に記載のプリンタ。
【請求項５】
画像再生装置と通信し、画像データを取得可能なプリンタの制御方法であって、
前記画像再生装置から取得した画像データをプリント処理するためのプリント処理工程と、
前記プリント処理工程によるプリント処理が開始された後に、前記プリンタの対応可能な印刷設定が記述される能力情報にデフォルトの印刷設定を含ませて前記画像再生装置に送信する能力情報送信工程を有することを特徴とするプリンタの制御方法。
【請求項６】
請求項５に記載のプリンタの制御方法をコンピュータに実行させるためのプリンタの制御プログラム。
【請求項７】
請求項６に記載のプリンタの制御プログラムを記憶したコンピュータで読取り可能な記憶媒体。
【発明の詳細な説明】
【技術分野】
【０００１】
本発明は、画像再生装置から画像データを取得可能なプリンタに関し、例えば、静止画を記録するスチルカメラやビデオカメラなどによって撮像された画像データをプリント出力するのに好適なプリンタ関するものである。
【背景技術】
【０００２】
従来から印画用紙に感熱型の用紙を用い、主走査方向に配列された複数個の発熱体を選択的に駆動して、用紙を副走査方向に搬送することで、用紙にドットライン状に印画を行うライン熱転写方式のプリンタがある。
【０００３】
近年、デジタルカメラやデジタルビデオカメラ、またはスキャナなどの撮影機器の進歩に伴い、撮影した画像をプリントする手段として、熱転写方式のプリンタ装置も注目されている。
【０００４】
インクジェットプリンタは、液滴を飛ばすか飛ばさないか、という２値の選択しかないために、小さな液滴を用紙へ着弾させて、誤差拡散等の手法でみかけの解像度と階調性を得ようとしている。しかし、熱転写方式のプリンタの場合には、一つの画素において、制御可能な熱の値を容易に変更できるため、一つの画素に対する階調性が多く取る事が可能になる。そのため、インクジェットプリンタに比べて滑らかで高画質な画像を得ることができるという点が上げられる。またサーマルヘッドの性能や用紙材料の性能も向上したために、仕上がり品位で銀塩写真にも見劣りしない画像プリントを得る事が可能になっており、近年のデジタルカメラの進歩に歩調を合わせるように特に自然画像用のプリンタとして注目されている。
【０００５】
また一方インクジェット式プリンタも液滴の小ドット化などの技術が進み、より高画質なものも登場している。
【０００６】
そこで、こうしたプリンタ装置とデジタルカメラやデジタルビデオカメラなどの撮影機器を直接接続したり、または一体的に構成したりして、撮影された画像情報をコンピュータなどの情報処理装置を介すことなくプリントするシステムも登場している。
【０００７】
こうしたシステムによれば、デジタルカメラやデジタルビデオからの画像情報を簡単に写真的なプリントアウトを行うことが可能になり、大変便利である。
【０００８】
これらの一例として、
たとえば、特許文献１では画像入力装置と画像出力装置の接続について述べられている。
【０００９】
これによれば、画像入力装置は、画像出力装置に画像データを送信し、かつ画像出力装置から電源電力の供給を受けるための接続ケーブルにより前記画像出力装置と接続され、画像出力装置から電力供給を受けることができる。さらに、電力供給を受けられるかの可否を判定する判定手段により、画像出力装置から電力供給を受けられると判定された場合は、前記画像出力装置から電力供給を受ける。逆に、電力供給を受けられないと判定された場合は、画像入力装置の電源部から電力を得るというものである。これによれば、画像出力装置から電力の供給が受けられるので、デジタルカメラなどの画像入力装置の電源の残量を気にすることなくプリント出力できるもので非常に効果的である。
【００１０】
また特許文献２の複合カメラでは、プリント時の電力省電について述べている。この複合カメラは、プリント出力するプリンタ手段とを一体化した複合カメラであり、プリント出力している間は、ビューファインダへ電力を供給するのを停止するよう制御する制御手段を設けたものである。これによればプリント中は電子ビューファインダへの電力供給をしないので節電に役立つというものであり非常に効果的である。
【特許文献１】特開平１０−２４３３２７号公報
【特許文献２】特開平９−６５１８２号公報
【発明の開示】
【発明が解決しようとする課題】
【００１１】
しかしながら、上記従来例ではプリンタ装置や、デジタルカメラなどの画像再生装置とのシステムを構成したときにユーザに十分な満足を与えるものではなかった。
【００１２】
無線Ｉ／Ｆを使用したカメラダイレクトプリントシステムの場合は、印刷を行おうとするユーザがプリンタのそばにいるとは限らず、隣の部屋にあるプリンタに対して印刷ＪＯＢを発行するといったことが可能である。その場合、プリンタ本体がどのような状態になっているかがわからず、例えばどのサイズの用紙が装着されているかは、そばにいれば一目瞭然であるが、隣の部屋からではわからない。従って、プリンタ側の設定可能項目をカメラから取得しても、その中にプリンタ側の設定に従うという意味のデフォルト設定という項目が含まれていた場合、それを使用すると実際にどのようになるかが不明な項目が存在してしまうという場合があった。
【００１３】
また、給紙動作をと行うとともに用紙サイズを検知するプリンタも開発されている。これは、手差しによる用紙を使ってプリントする場合に、使用する用紙のサイズを予め入力する必要がなくなり、たいへん便利である。逆に、一度給紙動作を行わなければ、紙サイズは不明である。しかし、カメラダイレクトプリントシステムにおいて、プリンタで検知した用紙サイズをカメラに通知することについては、今まで十分に考慮されてこなかった。
【００１４】
この様に、従来の装置では使用者にとって使い勝手の良いプリントシステムが提供できていないという問題点があった。
【００１５】
本発明は以上の点を考慮してなされたものであり、実際に印刷に使用するデフォルトの設定値をプリンタからカメラに通知することのできるプリンタを提供することを目的としている。
【課題を解決するための手段】
【００１６】
前記目的を達成するため、本発明のプリンタは以下のような構成を備える。すなわち、
画像再生装置から画像データを取得可能なプリンタであって、
前記画像再生装置と通信する通信手段と、
前記プリンタの対応可能な印刷設定が記述される能力情報を前記画像再生装置に送信する能力情報送信手段と、
前記画像再生装置から取得した画像データをプリント処理するためのプリント手段とを有し、
前記能力情報送信手段は、前記プリント手段によるプリント処理が開始された後に、前記能力情報にデフォルトの印刷設定を含ませて、前記画像再生装置に送信することを特徴とする。
【００１７】
前記目的を達成するため、本発明のプリンタの制御方法は以下のような構成を備える。すなわち、
画像再生装置と通信し、画像データを取得可能なプリンタの制御方法であって、
前記画像再生装置から取得した画像データをプリント処理するためのプリント処理工程と、
前記プリント処理工程によるプリント処理が開始された後に、前記プリンタの対応可能な印刷設定が記述される能力情報にデフォルトの印刷設定を含ませて前記画像再生装置に送信する能力情報送信工程を有する。
【発明の効果】
【００１８】
本発明によれば、プリント処理が開始し、使用するデフォルトの設定値が確定した後にプリンタから画像再生装置にデフォルトの設定値を送信するので、デフォルト設定が実際にはどのような設定値として扱われ印刷が行われるかを画像再生装置に通知することができる。
【００１９】
また、通知されたデフォルト情報を画像再生装置のＵＩ画面によってユーザにフィードバックすることで、ユーザが本当に意図した設定で印刷が行われるかどうかを確認することができる。
【発明を実施するための最良の形態】
【００２０】
図１から図４に示す図を用いて本発明の実施例について説明する。本プリントシステムは、デジタルカメラの保持する電子的な画像の情報を、任意なプリント設定でプリントアウトすることが出来るものである。このプリントシステムについて手順に従って説明する。
【００２１】
本発明に係わる熱転写プリンタ装置の一実施形態について、以下、図面を参照して具体的に説明する。
【００２２】
図１は実施形態に係わるプリンタ装置の側面の構成模式図である。
【００２３】
まず、処理回路１８は、ＣＰＵやワークメモリを備え、プリンタ装置１の全体の制御を行う。
【００２４】
プリンタ装置の全体構成について説明すると、装置本体１に記録紙Ｐを積載した用紙カセット２から給紙ローラ３で一枚ずつ分離給送する。この際記録紙Ｐはバネ２０によって付勢された押上げ板２１によって給紙ローラ３に当接している。給紙ローラ３によって搬送された記録紙Ｐは、紙サイズ検知手段１９により用紙サイズの検知が行われる。
【００２５】
記録部においては記録紙搬送経路を挟んでプラテンローラ５と記録情報に応じて発熱するサーマルヘッド６が対向している。インクカセット７には、熱溶融性または熱昇華性インクを塗布したインク層と印画面を保護するために印画面上にオーバーコートされるオーバーコート層とをもつインクシート８が収納されている。インクシート８は、サーマルヘッド６によって押圧、加熱され、該記録紙Ｐに所定画像を転写記録し、保護層をオーバーコートする。
【００２６】
上記インクシートは、記録紙Ｐの印画領域を覆ってそのサイズと略等しいサイズでイエロー（Ｙ）、マゼンタ（Ｍ）、シアン（Ｃ）の各インク層とオーバーコート（ＯＰ）層が並べて設けられたものである。このインクシートを各層ずつ熱転写しては、記録紙Ｐを記録開始位置Ｐ１に戻し、記録紙上に、順次重ねて転写される。
【００２７】
このように、記録紙Ｐは、ピンチローラ４−２とグリップローラ４−１からなる搬送ローラ対４により、各色インク及びオーバーコート層の数だけ往復される。
【００２８】
この際、各インク層の印画後の記録紙Ｐは装置本体１前方で反転され、用紙カセット前方部及び下部のガイド部を介して装置本体１の後方へ導紙される。装置前方で反転されるために印画途中の記録紙Ｐが外部に出ることによるスペースの無駄や意図せずに触ってしまったという様なことが無く、設置場所の省スペース化などを可能にしている。
【００２９】
しかも用紙カセット２の下部を紙ガイドとして直接利用していることによって、装置本体１の厚さを薄くすることが可能になっている。また、記録紙Ｐをインクカセット７と用紙カセット２にはさまれた空間を通すことで装置本体１の全高を最小限にとどめることが可能であり小型化を可能にしている。
【００３０】
２５は用紙カセット２の用紙搬送ガイド部である。装置本体１前方から反転されてきた記録紙Ｐを装置本体後方に反転させるガイド部であり、この用紙カセット２に具備することで装置本体１全体の小型化に大きく寄与している。
【００３１】
また２６は用紙カセット２の上面は印画されて排紙された記録紙Ｐのトレイ部分を兼用しており、これも装置本体１の小型化に寄与している。
【００３２】
各インク層の印画終了後に記録紙Ｐは排紙ローラ１、９−１排出ローラ２、９−２へ案内され装置本体１後方から前方に向かって排出され記録動作が終了する。
【００３３】
排出ローラ１  ９−１は記録紙Ｐの排出動作時のみ圧接する様に構成され、印画中にはストレスがかからないように構成されている。
【００３４】
なお装置本体１には記録紙Ｐのガイド部１５が構成されていて、記録紙Ｐを導紙している。
【００３５】
１６は搬送路切り替えシートであり、記録紙Ｐが給紙された後は記録紙Ｐは排出側の経路に導紙されるようになっている。
【００３６】
また印画用のサーマルヘッド６はヘッドアーム２２に一体的に具備されており、インクカセット７を交換する場合にはインクカセット７の抜き差しに支障ない位置まで退避する。
【００３７】
この退避動作はインクカセット７の交換は用紙カセット２を引き抜くと可能になる。この際用紙カセット２の着脱動作に連動してヘッドアーム２２はカム部２２−１によって押さえられている状態から用紙カセット２のカム部２−１が退避していくことで上下する様に構成されている。
【００３８】
通常の熱転写プリンタ装置ではＹＭＣ３色を３回面順次で記録する為、各色の記録先端を正確に合致させる制御が必要となる。このためには、図１に示す搬送ローラ対４で記録紙Ｐを離さずしっかり挟持し搬送を行う必要がある。この為、記録紙Ｐの送り方向の端部には記録不可能な余白部が必要となる。これを鑑み、最終的に、容易に、縁のない印画物を得るために、第３図に示す様に、記録紙Ｐには、記録開始時搬送ローラ対４でしっかり挟持され記録できない余白部分を後で容易に手で切取り可能な様にミシン目１２が設けられる。
【００３９】
本発明は、上記説明したミシン目をもつ記録紙Ｐと熱転写プリンタ装置をもちいて実施され、
上記の記録紙に設けられたミシン目領域にはオーバーコートするものとする。
【００４０】
また左下がり斜線で示す領域は印画の領域であり、ミシン目を含む領域を印画する様に制御される。オーバーコートは略印画される領域であり且つ印画される領域よりやや大きく印画される領域を含むように印画する様に制御される。
【００４１】
更に以下に装置に関わる詳しい説明をする。
【００４２】
図１に示す、プリンタ装置１において、搬送ローラ対４は、ピンチローラ４−２とグリップローラ４−１からなり、このグリップローラ４−１は、図示しないステッピングモータの出力軸が減速機構を介してして直結され、このステッピングモータの回転制御により、正逆自在に駆動される。記録紙Ｐは、搬送ローラ対４によりしっかりと挟持され、往復搬送されるもであるから、記録紙Ｐもまた、ステッピングモータの回転制御により、正確に位置制御され、搬送駆動される。いま、一例としてサーマルヘッド６による１ライン分の記録ピッチを８５μｍとし、記録紙Ｐを１ライン分搬送するためのステッピングモータのステップ数を４ステップとするならば、記録紙Ｐは、ステッピングモータを４ステップで回転制御することにより、１ライン（すなわち８５μｍ）搬送することができる。図３に示した、印画範囲は、搬送方向において１４４ｍｍであるとすると、１６９４ライン印画可能であり、記録紙をこの分搬送するためには、ステッピングモータを６７７６ステップ分回転させればよい。
【００４３】
プリンタ装置１において、給紙ローラ３から給紙ローラ対４を見て、給紙ローラ対４の近傍の位置に、記録紙先端検出センサー１０が置かれ、これにより記録紙の先端を検出し、検出後、搬送ローラ対４で挟持できる範囲で所定ラインを送り停止させる。この位置が前述の記録開始時の位置となる。ここからまず最初のＹイエローからサーマルヘッドを記録情報に応じて発熱駆動し、各色インクの所定画像を記録し、またはオーバーコート層を転写する。１色が終わると次にこの位置から記録紙を排紙ローラ９のある方向に戻して搬送し、再び所定のライン数を戻し送り、ＹＭＣ各色及びオーバーコート層転写を４回繰返す。
【００４４】
図１に示すプリンタ装置１において、記録紙先端検出センサー１０と、プラテンローラ５とサーマルヘッド６により記録紙Ｐを押圧する位置の距離は、装置内部品配置を考慮し、記録紙上の距離で２０ｍｍに設定したがこれに限られるものでは無い。
【００４５】
この時、図３に示す印画物は、下記の様に各色インクを転写記録し、またオーバーコート層を転写することにより得られる。
【００４６】
図２のフローチャートにおいて色インク転写及びオーバーコートシーケンスを説明する。
Ｓ２０１：使用者はデジタルカメラＤＣやデジタルビデオカメラのプリントボタンおよび表示画面で、プリントする画像やプリント仕様を選択し、プリント動作を指示する。
Ｓ２０２：プリンタ装置１の内部の処理回路１８はデジタルカメラと通信を行い、Ｓ２０１でのプリント指示の情報をデジタルカメラから取得する。プリンタは取得したプリント指示情報を基に、プリントに必要となる画像データをデジタルカメラから取得し、処理回路１８のメモリに一時保存しておく。必要であれば画像データを印画データへ変換する等の画像処理を行い、印画処理が開始される。
Ｓ２０３：印画準備が出来たら処理回路１８は給紙ローラ３に連結されたモータを駆動して記録紙Ｐを給紙開始する。このとき紙サイズ検知手段１９により記録紙Ｐの用紙サイズを検知する。
Ｓ２０４：記録紙先端検出後、ステッピングモータを所定ステップ分回転させ、印画を開始する。このとき、印画開始位置は、記録紙先端を基準として、１２．４６５ｍｍとした。
Ｓ２０５：引き続き、ステッピングモータを４ステップ分回転しながら、サーマルヘッドを発熱駆動し１ライン分の印画を行う。全部で６７７６ステップ分（１６９４ライン分）回転させ、印画を終了する。この時の印画終了位置は、記録紙先端を基準として、１５６．４５５ｍｍとなる。
Ｓ２０６：ついで、停止にいたるまでの減速のため、ステッピングモータを１０ライン分（４０ステップ分）程回転させ、停止させる。
Ｓ２０７：この状態から、ステッピングモータを逆転駆動し、記録紙Ｐを印画時と逆方向に搬送し、所定のステップ数（６７７６ステップ−減速分）だけ戻して、更に減速のため、所定のライン数の１０ライン分（４０ステップ分）程回転させ、停止させる。
Ｓ２０８：上記をＹＭＣ３色分、３回程繰返し、所望の印画像を記録紙Ｐに転写記録する。
Ｓ２０９：その後、そして、更に一回印画面保護の為のオーバーコート層を転写する。
Ｓ２１０：その後ステッピングモータを逆転駆動してそのまま排出ローラ２  ９−２へ導き、排出ローラ２  ９−２の駆動で用紙を排出して一連の動作を終了させる。
【００４７】
また、上記において、処理回路１８は記録紙Ｐの給紙時に、最初に記録紙先端検出センサ１０で検知した記録紙の先端検出信号をもとに、ステッピングモータのステップ数と記録紙Ｐの位置関係によって記録位置管理を行うとした。しかし、これに限らず、各ＹＭＣ色及びオーバーコート層の転写記録時において、記録紙先端部に検出センサーを設けて記録紙の先端検出を行い、ステッピングモータの回転駆動のステップ数を管理することにより、記録位置管理を行う構成としても良い。
【００４８】
また、上記において、オーバーコート層の転写は、サーマルヘッドの発熱駆動のＯＮ／ＯＦＦのみで行う様に記述したが、転写開始時では、徐々に発熱量を増加させ、また、転写終了時には、徐々に発熱量を減少させる様な制御を加える事も可能である。
【００４９】
また、上記においてプリンタとデジタルカメラを接続したシステムについて述べたが、本発明はこれに限られたものでなく、画像データを記録できるモバイル機器、ＤＶＤやＣＤ等の再生装置とプリンタとを接続でしたシステムあってもよい。
【００５０】
ここで前述のＳ２０２のデジタルカメラと、プリンタの通信について更に詳述する。
【００５１】
図４はデジタルカメラＤＣとプリンタ装置本体１を汎用のインターフェースを用いて接続してある模式図である。
【００５２】
デジタルカメラＤＣは撮影後に該デジタルカメラＤＣ内部のメモリに画像情報が保持されているものとする。メモリは着脱自由なメモリカードが便利である。
【００５３】
デジタルカメラＤＣでは、内部メモリに保持された画像情報の中から任意の画像を再生させるものとする。
【００５４】
画像情報の再生はデジタルカメラＤＣの具備する液晶表示装置によって随時確認できるので使用者は撮影された好きな画像情報を任意に呼び出すことが可能である。
【００５５】
ここでケーブル２７や無線手段によって、プリンタ装置本体１と通信可能な状態である。所定のプリント実行ボタン（図不示）を押すと、デジタルカメラＤＣからプリンタ装置へ必要な情報が通信され、プリンタ装置本体１からプリント出力が得られる。
【００５６】
上記必要な情報としては、デジタルカメラＤＣとのネゴシエーションの情報や、デジタルカメラＤＣからのプリントすべき画像の情報や画像情報に関する付属情報等である。
【００５７】
さてここで本発明に関わる内容について更に詳細に述べる。
【００５８】
図５は本発明の一実施の形態を示す。これは、カメラダイレクトプリントシステム５０１はプリンタ５１１とデジタルカメラＤＣ５１２から構成され、ＵＳＢインターフェース５１３よって通信可能に接続されている。
【００５９】
ここで、プリンタ５１１はプリンタ装置１である。
【００６０】
プリンタ５１１はケーパビリティ情報管理メモリ５１１ａとダイレクトプリント制御部５１１ｂとＰＴＰ制御部５１１ｃとＵＳＢ制御部５１１ｄと印刷制御部５１１ｅからなる。
【００６１】
画像出力装置としてのデジタルカメラＤＣ５１２はケーパビリティ情報管理メモリ５１２ａとダイレクトプリント制御部５１２ｂとＰＴＰ制御部５１２ｃとＵＳＢ制御部５１２ｄとＵＩ表示制御部５１２ｅからなる。
【００６２】
ケーパビリティ情報管理メモリ５１１ａは、プリンタに固定的に設定されているデフォルト設定、もしくはプリンタの現在の状態を認識してデフォルト設定とし、プリンタの能力情報及びデフォルトの設定を示す情報を記憶する。
【００６３】
ケーパビリティ情報管理メモリ５１２ａは、プリンタから送られてきた能力情報（ケーパビリティ）を格納する。
【００６４】
ダイレクトプリント制御部５１１ｂ、５１２ｂは、通信階層のアプリケーション層で、ダイレクトプリントを実行するためのプログラムによりダイレクトプリント動作の実行制御をする。
【００６５】
ＰＴＰ制御部５１１ｃ、５１２ｃは、本実施形態で用いるＰｉｃｔｕｒｅＴｒａｎｓｆｅｒＰｒｏｔｏｃｏｌ（以下、ＰＴＰと省略する）による通信制御を司る。
【００６６】
ＵＳＢ制御部５１１ｄ、５１２ｄは、本実施形態で用いるＵＳＢ（ＵｎｉｖｅｒｓａｌＳｅｒｉａｌＢｕｓ）規格に関する通信制御を司る。
【００６７】
印刷制御部５１１ｅは、デジタルカメラＤＣで設定された印刷条件にしたがって、実際に印刷の制御を司る。
【００６８】
ＵＩ表示制御部５１２ｅは、プリンタから送られてきた能力情報（ケーパビリティ）を、プリント設定メニューに反映させて表示し、不図示の操作部を用いたプリント設定を行うユーザの操作に応じて、表示部の制御を行う。
【００６９】
ケーパビリティ情報管理メモリを除く、上記の各制御部は、専用の回路により構成するものであってもよいが、不図示のメモリに格納されたプログラムに従って、不図示のＣＰＵの制御により、ソフトウェア制御される制御部であってもよい。
【００７０】
ここで、図６を参照して、プリンタのデフォルト設定に対応する設定値をカメラ側に通知する方法について説明する。
６０１において、デジタルカメラは、プリンタからケーパビリティを取得するために、プリンタにケーパビリティ取得要求を行う。
６０２においては、プリンタは、デジタルカメラからのケーパビリティ取得要求に応じて、ケーパビリティ情報管理メモリ５１１ａに記録されているプリンタの能力情報及びデフォルトの設定を示す情報をデジタルカメラに送信する。
６０３でデジタルカメラは、プリンタから受信したケーパビリティを表すコードをケーパビリティ情報管理メモリ１２ａ上に保存し、プリント設定メニューに反映させて表示する。
【００７１】
例として用紙サイズの設定可能項目を取得した場合のメモリマップを図７に示す。
【００７２】
このときにもうすでにプリンタのデフォルト設定に対応する値が確定している場合は、この時点でプリンタのデフォルト設定を通知することが可能である。ただし、通知の仕方についてはカメラとプリンタの間でなんらかの取り決めが必要である。ここでは、プリンタからケーパビリティを送る際にデフォルト設定に対応する値は必ずデフォルト設定のすぐ次に送るというルールを決めておく。このとき、図７の例ではデフォルト設定に対応する用紙サイズが“Ｌ”であることがわかる。
【００７３】
もし、ケーパビリティをデジタルカメラに送信する時点ではまだ用紙サイズが確定していないプリンタであれば、ケーパビリティにデフォルト設定のみを返すといったことで未確定であることを通知することが可能である。また、今回はデフォルト設定をケーパビリティの最後に記述し送ることで未確定であることを通知することとする。
【００７４】
デフォルト設定が未確定の場合は、６０４においてデジタルカメラがプリンタに印刷要求を行い、６０５において印刷処理が開始し、給紙が行なわれ、用紙サイズが確定した後に、もう一度デジタルカメラからケーパビリティ取得要求を行う。この時点では、給紙が行われ紙サイズが検知されているので、当然用紙サイズが確定している。よって、紙サイズのデフォルト設定を通知することが可能である。６０７で、確定したデフォルトの用紙サイズ情報を含むケーパビリティをプリンタからデジタルカメラに通知する。
【００７５】
図６では、プリンタが印刷処理を開始した後も、デジタルカメラからプリンタにケーパビリティを要求するという方法をとった。しかし、プリント処理が開始し、用紙サイズが確定したとデジタルカメラが推測し、プリンタにケーパビリティを要求したものの、実際にはまだデフォルト設定が未確定であったという可能性もある。この場合、デジタルカメラは更にもう一度プリンタにケーパビリティを要求しなければならなくなる。そこで、プリンタが給紙処理を行い、用紙サイズが確定した時点で、プリンタからデフォルト設定を送信するなど、印刷処理が開始した後に、プリンタからデジタルカメラにデフォルトを通知してもよい。こうすることで、デフォルト設定が確定したらすぐにデジタルカメラに通知することができる。また、デフォルトの印刷設定を確実にデジタルカメラに通知することができる。
【００７６】
また、印刷設定を含む印刷要求をデジタルカメラからプリンタへ送信し、印刷設定がプリンタのデフォルトを指定している場合のみ、デフォルトの用紙サイズをカメラへ通知するような構成をとってもよい。さらに、印刷要求による印刷設定が指定されてなく、プリンタのデフォルトによるプリント処理を行った場合についても、デフォルトの用紙サイズをカメラへ通知するように構成してもよい。このように構成することで、デフォルトではない設置でプリントを行う場合に、必要のないデフォルト設定の情報を無駄にデジタルカメラへ通知することを防ぐことができる。
【００７７】
次に、プリンタから通知されたケーパビリティの中から、デフォルト設定に対応する値を決定する際のデジタルカメラの動作を図８のフローチャートを用いて説明する。
【００７８】
まずプリンタからケーパビリティを取得する（８−１）。取得した項目をメモリ上に保存し、読み出し用のポインタを先頭にセットする（８−２）。読み出し用のポインタのさす内容を１項目読み出す（８−３）。そこにもうデータが存在しなければ（８−４）、その時点で終了である。データが存在した場合はそれがデフォルト設定であるかどうかをチェックする（８−６）。もしデフォルト設定でなければ読み出し用のポインタを次に進め（８−５）、８−３に戻る。デフォルト設定であった場合はやはり読み出し用のポインタを次に進め（８−７）、その指す内容を１項目読み出す（８−８）。もしそこにデータが存在しなければ、その時点で終了である。データが存在した場合はそれをデフォルト設定に対応する値として保存し（８−１０）、終了である。
【００７９】
上記本実施例では説明のため印刷用紙サイズを例として説明してきたが、実際には用紙サイズ以外のメディアタイプやレイアウトに関するリスト形式のデータをケーパビリティ情報に載せてもよい。
【００８０】
また、上記実施例ではデジタルカメラを画像再生装置として説明したが、本発明はこれに限定されるものでない。例えば、画像データを記憶できるモバイル機器、ＤＶＤやＣＤ等であってもよい。
【００８１】
上記実施例では、熱転写方式のプリンタについて説明してきたが、本発明はインクジェットプリンタ、レーザービームプリンタ等、あらゆるプリンタ装置に適応できる。用紙カセットを有さない、用紙を手差しするタイプのプリンタは、用紙カセットから用紙サイズの情報を得ることができず、給紙後の紙検知を行わなければデフォルトの用紙サイズが確定しないものも考えられるので、特に有効である。
【００８２】
本発明の目的は、実施例の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００８３】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施例の機能が実現される場合も含まれる。
【００８４】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施例の機能が実現される場合も含む。
【図面の簡単な説明】
【００８５】
【図１】本発明の実施形態に係るプリンタ装置の側面の構成模式図である。
【図２】本発明の実施形態に係るプリンタ装置の色インク転写及びオーバーコートシーケンスを表す図である。
【図３】本発明の実施形態に係る記録紙Ｐを表す図である。
【図４】本発明の実施形態に係るデジタルカメラＤＣとプリンタ装置本体１を汎用のインターフェースを用いて接続した模式図である。
【図５】本発明の実施形態に係るプリンタおよびデジタルカメラの制御に係る主要部の構成を表すブロック図である。
【図６】本発明の実施形態に係るプリンタとデジタルカメラとの通信のやりとりを表す図である。
【図７】本発明の実施形態に係る用紙サイズの設定可能項目を取得した場合のメモリマップを表す図である。
【図８】本発明の実施形態におけるデフォルト設定に対応する値を取得する際のカメラのフローチャートである。
【符号の説明】
【００８６】
１  装置本体
２  用紙カセット
３  給紙ローラ
４  搬送ローラ対
４−２  ピンチローラ
４−１  グリップローラ
５  プラテンローラ
６  サーマルヘッド
７  インクカセット
８  インクシート
９−１  排紙ローラ１
９−２  排紙ローラ２
１０  記録紙先端検出センサー
１１  ＳＷ２信号
１２  ミシン目
１３  搬送経路切り替えシート
１５  ガイド部
１６  余白部
１７  印画領域
１８  処理回路
１９  紙サイズ検知手段
２０  バネ
２１  押上げ板
２２  ヘッドアーム
２３  ヘッドカバーＡ
２４  ヘッドカバーＢ
２５  用紙搬送ガイド部
２６  排紙トレイ部
２７  ケーブル
５０１  カメラダイレクトプリントシステム
５１１  プリンタ
５１１ａ  ケーパビリティ情報管理用メモリ
５１１ｂ  ダイレクトプリント制御部
５１１ｃ  ＰＴＰ制御部
５１１ｄ  ＵＳＢ制御部
５１１ｅ  印刷制御部
５１２  デジタルカメラ
５１２ａ  ケーパビリティ情報管理用メモリ
５１２ｂ  ダイレクトプリント制御部
５１２ｃ  ＰＴＰ制御部
５１２ｄ  ＵＳＢ制御部
５１２ｅ  ＵＩ制御部
５１３  ＵＳＢケーブル
【図１】
2007030315.tif 000003
【図２】
2007030315.tif 000004
【図３】
2007030315.tif 000005
【図４】
2007030315.tif 000006
【図５】
2007030315.tif 000007
【図６】
2007030315.tif 000008
【図７】
2007030315.tif 000009
【図８】
2007030315.tif 000010